(57)【要約】      （修正有）【課題】  現在ディスプレイされているビデオ信号以外に新しいビデオ信号が入力されている場合に、これを感知してビデオ信号の入出力経路を自動的に変換させる多重ビデオ入力信号を処理する装置及び方法。【解決手段】  現在ディスプレイ中のビデオ信号以外に新しいビデオ信号が入力されているか否かを周期的にチェックし、入力されている場合、新しいビデオ信号の入力メッセージと共に所定メニューを自動的にディスプレイする。前記メニュー選択信号によって新しいビデオ信号をディスプレイするか、現在ディスプレイ中のビデオ信号のディスプレイを持続するか、処理する。複雑なキー操作なしに新しいビデオ信号のディスプレイを全体画面、同時画面、元来画面から選択できるＯＳＤメニューを提供し、それによる信号処理を行ってビデオ信号の入力が自動的に転換される。【選択図】      図３
2005049837.tif 000002
【特許請求の範囲】
【請求項１】
ディスプレイ機器であり、
前記ディスプレイ機器外部から入力される多様なビデオ信号を受信するビデオインタフェースと、
前記ビデオインタフェースから出力される多重ビデオ信号のうち第１ビデオ信号を選択して処理するか、ディスプレイ手段に前記第１処理されたビデオ信号を出力する第１信号処理手段と、
前記第１信号処理手段から出力される第１処理されたビデオ信号または前記ビデオインタフェースを介して直接入力される第１ビデオ信号がディスプレイされる間に前記ビデオインタフェースから所定の第２ビデオ信号が感知される場合、
前記第２ビデオ信号のディスプレイいかんを選択するメニューをディスプレイし、前記メニューの選択により前記第１処理されるか、または直接入力されたビデオ信号及び／または前記第２ビデオ信号をディスプレイするための信号処理を行う第２信号処理手段とを含む多重ビデオ入力信号を処理する装置。
【請求項２】
第１信号処理手段は、
前記第２信号処理手段の選択制御信号により前記ビデオインタフェースから出力される多重ビデオ信号のうち第１ビデオ信号を選択する選択部と、
前記選択部で選択された前記第１ビデオ信号をデコーディングするデコーディング部とを含むことを特徴とする請求項１に記載の多重ビデオ入力信号を処理する装置。
【請求項３】
前記第２信号処理部は、
前記ビデオインタフェースの出力信号または前記第１信号処理手段の出力信号を前記ディスプレイ手段の仕様に合うようにスケーリングするスケーラと、
前記第１ビデオ信号ディスプレイ中に前記第２ビデオ信号入力が感知される場合、前記新しい第２ビデオ信号のディスプレイいかんを選択する所定メニューをディスプレイし、選択されたメニューによって前記第１ビデオ信号及び／または第２ビデオ信号のディスプレイ動作を制御する制御部とを含む請求項１に記載の多重ビデオ入力信号を処理する装置。
【請求項４】
前記ディスプレイ手段の仕様によって前記第１信号処理手段から出力される第１処理されたビデオ信号をデインタレーシングするデインタレーサをさらに含むことを特徴とする請求項３に記載の多重ビデオ入力信号を処理する装置。
【請求項５】
前記制御部は、
前記第２ビデオ信号入力感知のために前記ビデオインタフェースを周期的にチェックすることを特徴とする請求項３に記載の多重ビデオ入力信号を処理する装置。
【請求項６】
前記制御部によりディスプレイされる所定のメニューは前記第２ビデオ信号のディスプレイいかんを選択する全体画面、同時画面、取消（元来画面）メニューより構成されることを特徴とする請求項３に記載の多重ビデオ入力信号を処理する方法。
【請求項７】
前記全体画面メニューが選択される場合、
前記第１処理されたり直接入力されたビデオ信号が第２信号処理手段によりディスプレイされずに、第２ビデオ信号は第２信号処理手段により全体画面上にディスプレイされることを特徴とする請求項６に記載の多重ビデオ入力信号を処理する方法。
【請求項８】
同時画面メニューが選択される場合、
前記第１処理されるか、あるいは直接入力されたビデオ信号と前記第２ビデオ信号とは第２信号処理手段により１画面に同時にディスプレイされることを特徴とする請求項６に記載の多重ビデオ入力信号を処理する方法。
【請求項９】
取消（元来画面）メニューが選択される場合、
第１処理されるか、あるいは直接入力されたビデオ信号は前記第２信号処理手段により続けてディスプレイされることを特徴とする請求項６に記載の多重ビデオ入力信号を処理する方法。
【請求項１０】
（ａ）現在ディスプレイ中のビデオ信号以外に新しいビデオ信号が入力されているか否かを周期的にチェックする段階と、
（ｂ）前記チェック結果、新しいビデオ信号が入力される場合、新しいビデオ信号入力メッセージと共に新しいビデオ信号のディスプレイを選択する所定メニューを自動的にディスプレイする段階と、
（ｃ）前記メニュー選択信号によって新しいビデオ信号をディスプレイするか、現在ディスプレイ中のビデオ信号のディスプレイを持続する段階とを含む多重ビデオ入力信号を処理する方法。
【請求項１１】
前記（ｂ）段階で新しいビデオ信号入力メッセージと共にディスプレイされるメニューは選択可能な全体画面、同時画面、取消（元来画面）メニューより構成されることを特徴とする請求項１０に記載の多重ビデオ入力信号を処理する方法。
【請求項１２】
前記全体画面メニューが選択される場合、
現在ディスプレイ中のビデオ信号ではない前記新しいビデオ信号を全体画面にディスプレイすることを特徴とする請求項１１に記載の多重ビデオ入力信号を処理する方法。
【請求項１３】
同時画面メニューが選択される場合、
現在ディスプレイ中のビデオ信号と新しいビデオ信号とを１画面に同時にディスプレイすることを特徴とする請求項１１に記載の多重ビデオ入力信号を処理する方法。
【請求項１４】
取消（元来画面）メニューが選択される場合、
現在ディスプレイ中のビデオ信号を続けてディスプレイすることを特徴とする請求項１１に記載の多重ビデオ入力信号を処理する方法。
【請求項１５】
多様な外部ディバイスから複数の多様なビデオ信号を受信するビデオインタフェースと、
プロセスによってビデオ信号処理器を制御するプログラムされたコンピュータプロセッサとを含み、
前記コンピュータプロセッサは、
ディスプレイディバイスから出力される複数の多様なビデオ信号を処理し、
現在ディスプレイされるビデオ信号を除いて前記ビデオインタフェースを介して入力される新しいビデオ信号を検出し、
新しく入力されるビデオ信号のためのディスプレイオプションの選択により、現在ディスプレイされるビデオ信号及び／または新しく入力されるビデオ信号をディスプレイするために現在入力されるビデオ信号及び新しく入力されるビデオ信号の入出力経路を管理することを特徴とするコンピュータプロセッサ。
【請求項１６】
前記ビデオ信号コンピュータプロセッサで前記新しいビデオ信号検出は、
新しいビデオ信号の入力を決定するために多様なビデオ信号を受信する前記ビデオインタフェースから周期的に受信されたり要請された状態信号であることを特徴とする請求項１５に記載のコンピュータプロセッサ。
【請求項１７】
前記選択的なグラフィックディスプレイを自動的にディスプレイすることは全体画面、同時画面及び現在ディスプレイ画面を保持するディスプレイオプションの選択的なグラフィックディスプレイを含むことを特徴とする請求項１５に記載のビデオ信号コンピュータプロセッサ。
【発明の詳細な説明】
【技術分野】
【０００１】
本発明はディスプレイ装置及び方法に係り、さらに詳細には現在ディスプレイされているビデオ信号以外にビデオインタフェースを介して新しいビデオ信号が入力される場合、これを感知してビデオ信号の入出力経路を自動的に変換させるディスプレイ機器で多重ビデオ入力信号を処理する装置及び方法に関する。
【背景技術】
【０００２】
現在、ほとんどのディスプレイ機器は多様なビデオ信号入力を連結できるビデオインタフェースを備えている。現在ビデオインタフェースを介して入力されているビデオ信号以外に他のビデオインタフェースを介して入力されるビデオ信号を見ようとする時、ユーザは他のビデオインタフェースを連結し、ディスプレイ機器のキーボードやリモコンなどでＯＳＤ（Ｏｎ  Ｓｃｒｅｅｎ  Ｄｉｓｐｌａｙ）を操作してビデオ入出力経路を手動で変換させなければならない。
【０００３】
このようなディスプレイ機器の説明が特許文献１に記載されている。
【０００４】
このような手動の操作はビデオインタフェースを転換するたびに反復しなければならないので、面倒なだけではなく複雑であると感じて不便さを与え、移動性の小型ディスプレイ機器であるほどこのような問題点が大きいと言える。
【特許文献１】米国特許公報第６，４５９，９０６号明細書
【発明の開示】
【発明が解決しようとする課題】
【０００５】
本発明がなそうとする技術的な課題は、現在ディスプレイされているビデオ信号以外にビデオインタフェースを介して新しいビデオ信号が入力される場合、これを感知してＯＳＤを介してユーザに知らせ、ユーザ選択によりビデオ信号の入出力経路を自動的に変換させるディスプレイ機器で多重ビデオ入力信号を処理する装置及び方法を提供するところにある。
【課題を解決するための手段】
【０００６】
本発明がなそうとする前記技術的な課題を解決するためのディスプレイ機器で多重ビデオ入力信号を処理する装置は、ディスプレイ機器であり、前記ディスプレイ機器外部から入力される多様なビデオ信号を受信するビデオインタフェースと、前記ビデオインタフェースから出力される多重ビデオ信号のうち第１ビデオ信号を選択して処理するか、ディスプレイ手段に前記第１処理されたビデオ信号を出力する第１信号処理手段と、前記第１信号処理手段から出力される第１処理されたビデオ信号または前記ビデオインタフェースを介して直接入力される第１ビデオ信号がディスプレイされる間に前記ビデオインタフェースから所定の第２ビデオ信号が感知される場合、前記第２ビデオ信号のディスプレイいかんを選択するメニューをディスプレイし、前記メニューの選択により前記第１処理されるか、または直接入力されたビデオ信号及び／または前記第２ビデオ信号をディスプレイするための信号処理を行う第２信号処理手段とを含むことが望ましい。
【０００７】
本発明において、第１信号処理手段は前記第２信号処理手段の選択制御信号により前記ビデオインタフェースから出力される多重ビデオ信号のうち第１ビデオ信号を選択する選択部と、前記選択部で選択された前記第１ビデオ信号をデコーディングするデコーディング部とを含むことを特徴とする。
【０００８】
本発明において、前記第２信号処理部は前記ビデオインタフェースの出力信号または前記第１信号処理手段の出力信号を前記ディスプレイ手段の仕様に合うようにスケーリングするスケーラと、前記第１ビデオ信号ディスプレイ中に前記第２ビデオ信号入力が感知される場合、前記新しい第２ビデオ信号のディスプレイいかんを選択する所定メニューをディスプレイし、選択されたメニューによって前記第１ビデオ信号及び／または第２ビデオ信号のディスプレイ動作を制御する制御部とを含むことを特徴とする。
【０００９】
本発明において、前記ディスプレイ手段の仕様によって前記第１信号処理手段から出力される第１処理されたビデオ信号をデインタレーシングするデインタレーサをさらに含むことを特徴とする。
【００１０】
本発明において、前記制御部は前記第２ビデオ信号入力感知のために前記ビデオインタフェースを周期的にチェックすることを特徴とする。
【００１１】
本発明において、前記制御部によりディスプレイされる所定のメニューは前記第２ビデオ信号のディスプレイいかんを選択する全体画面、同時画面、取消（元来画面）メニューより構成されることを特徴とする。
【００１２】
本発明において、前記全体画面メニューが選択される場合、前記第１処理されたり直接入力されたビデオ信号が第２信号処理手段によりディスプレイされずに、第２ビデオ信号は第２信号処理手段により全体画面上にディスプレイされることを特徴とする。
【００１３】
本発明において、同時画面メニューが選択される場合、前記第１処理されたり直接入力されたビデオ信号と前記第２ビデオ信号とは第２信号処理手段により１画面に同時にディスプレイされることを特徴とする。
【００１４】
本発明において、取消（元来画面）メニューが選択される場合、第１処理されるか、直接入力されたビデオ信号は前記第２信号処理手段により続けてディスプレイされることを特徴とする。
【００１５】
本発明がなそうとする前記技術的な課題を解決するためのディスプレイ機器で多重ビデオ入力信号を処理する方法は、（ａ）現在ディスプレイ中のビデオ信号以外に新しいビデオ信号が入力されているか否かを周期的にチェックする段階と、（ｂ）前記チェック結果新しいビデオ信号が入力される場合、新しいビデオ信号入力メッセージと共に新しいビデオ信号のディスプレイを選択する所定メニューを自動的にディスプレイする段階と、（ｃ）前記メニュー選択信号によって新しいビデオ信号をディスプレイするか、現在ディスプレイ中のビデオ信号のディスプレイを持続する段階とを含むことが望ましい。
【００１６】
本発明において、前記（ｂ）段階で新しいビデオ信号入力メッセージと共にディスプレイされるメニューは選択が可能な全体画面、同時画面、取消（元来画面）メニューより構成されることを特徴とする。
【００１７】
本発明において、前記全体画面メニューが選択される場合、現在ディスプレイ中のビデオ信号ではない前記新しいビデオ信号を全体画面にディスプレイすることを特徴とする。
【００１８】
本発明において、同時画面メニューが選択される場合、現在ディスプレイ中のビデオ信号と新しいビデオ信号とを１画面に同時にディスプレイすることを特徴とする。
【００１９】
本発明において、取消（元来画面）メニューが選択される場合、現在ディスプレイ中のビデオ信号を続けてディスプレイすることを特徴とする。
【００２０】
本発明がなそうとする前記技術的な課題を解決するためのディスプレイ機器で多重ビデオ入力信号を処理する装置は、多様な外部ディバイスから複数の多様なビデオ信号を受信するビデオインタフェースと、プロセスによってビデオ信号処理器を制御するプログラムされたコンピュータプロセッサとを含み、前記コンピュータプロセッサはディスプレイディバイスから出力される複数の多様なビデオ信号を処理し、現在ディスプレイされるビデオ信号を除いて前記ビデオインタフェースを介して入力される新しいビデオ信号を検出し、新しく入力されるビデオ信号のためのディスプレイオプションの選択により、現在ディスプレイされるビデオ信号及び／または新しく入力されるビデオ信号をディスプレイするために現在入力されるビデオ信号及び新しく入力されるビデオ信号の入出力経路を管理することを特徴とする。
【００２１】
本発明において、前記ビデオ信号コンピュータプロセッサで前記新しいビデオ信号検出は新しいビデオ信号の入力を決定するために多様なビデオ信号を受信する前記ビデオインタフェースから周期的に受信されたり要請された状態信号であることを特徴とする。
【００２２】
本発明において、前記選択的なグラフィックディスプレイを自動的にディスプレイすることは全体画面、同時画面及び現在ディスプレイ画面を保持するディスプレイオプションの選択的なグラフィックディスプレイを含むことを特徴とする。
【発明の効果】
【００２３】
本発明によれば、複雑なキー操作なしに新しいビデオ信号のディスプレイを全体画面、同時画面、元来画面から選択できるＯＳＤメニューを提供し、それによる信号処理を行ってディスプレイしようとするビデオ信号の入力が自動的に転換されるので、ユーザの便宜性を高められる。
【発明を実施するための最良の形態】
【００２４】
以下、添付された図面を参照して本発明を詳細に説明する。
【００２５】
図１は本発明によるコンピュータのようなコンピュータディバイス、ディスプレイ機器などで多重ビデオ入力信号を処理する装置の構成を示すブロック図であり、ビデオインタフェース１００、第１信号処理手段１０１、第２信号処理手段１０２、ユーザ信号入力手段１０３及びディスプレイ手段１０４より構成される。本発明で、ディスプレイ手段１０４はテレビまたはコンピュータディスプレイモニタのように、スクリーン上に入力ビデオ信号をディスプレイする。本発明で、ビデオインタフェース１００はＤ−ＳＵＢ端子１００−１、ＤＶＩ（Ｄｉｇｉｔａｌ  Ｖｉｄｅｏ  Ｉｎｔｅｒａｃｔｉｖｅ）端子１００−２、Ｓ（Ｓｅｐａｒａｔｅ）−ＶＩＤＥＯ端子１００−３、ＴＶチューナ端子１００−４及びＣＯＭＰＯＳＩＴＥ端子１００−５などの外部入力端子を含む。本発明で、第１信号処理手段１０１は選択部１０１−１及びビデオデコーダ１０１−２を含む。本発明で、第２信号処理手段１０２はスケーラ１０２−１、デインタレーサ１０２−２及び制御部１０２−３を含む。
【００２６】
図２Ａ乃至図２Ｄはディスプレイ機器で多重ビデオ入力信号の処理する画面例示図であり、図２Ａは現在のビデオ信号ディスプレイ中にビデオインタフェース１００を介して新しいビデオ信号が入力される場合に新しいビデオ信号入力メッセージと共にディスプレイされるＯＳＤメニューである。図２ＢはＯＳＤメニューのうちＦＵＬＬ  ＳＣＲＥＥＮ（全体画面）メニューを選択した時に現在のビデオ信号が新しいビデオ信号に転換される画面を示す図である。図２ＣはＯＳＤメニューのうちＰＩＰ（Ｐｉｃｔｕｒｅ  Ｉｎ  Ｐｉｃｔｕｒｅ）（同時画面）メニューを選択した時に現在のビデオ信号と同時に新しいビデオ信号がディスプレイされる画面を示す図である。図２ＤはＯＳＤメニューのうちＢＡＣＫ（取消または元来画面）メニューを選択した時に現在のビデオ信号が続けてディスプレイされる画面を示す図である。
【００２７】
図３は本発明によるディスプレイ機器で多重ビデオ入力信号を処理する方法の動作を示すフローチャートであり、周期的にビデオインタフェースをチェックする段階（３００）、現在ディスプレイ中のビデオデータ以外にビデオインタフェースを介して新しいビデオ信号が入力されたか否か判断する段階（３０１）、ビデオインタフェースを介して新しいビデオ信号が入力されるというメッセージを含むＯＳＤメニューをディスプレイする段階（３０２）、ＯＳＤメニューのうち「ＦＵＬＬ  ＳＣＲＥＥＮ」メニューを選択したか否かを判断する段階（３０３）、ビデオインタフェースを介して入力される新しいビデオ信号を全体画面にディスプレイする段階（３０４）、ＯＳＤメニューのうち「ＰＩＰ」メニューを選択したか否かを判断する段階（３０５）、ビデオインタフェースを介して入力される新しいビデオ信号を同時画面のサブ画面にディスプレイする段階（３０６）、ＯＳＤメニューのうち「ＢＡＣＫ」メニューを選択したか否かを判断する段階（３０７）、ＯＳＤメニューを終了して現在のビデオ信号のディスプレイを保持する段階（３０８）より構成される。
【００２８】
次に、図１ないし図３を参照して本発明を詳細に説明する。
【００２９】
ビデオインタフェース１００を具備して多種のビデオ信号をディスプレイできるディスプレイ機器で、現在入力されるビデオ信号以外に新しいビデオ信号をディスプレイしようとする時、既存の方法のようにユーザが一つ一つキー操作をしてＯＳＤメニューを経た後でビデオ入出力経路を選択して変えるのではなく、新しいビデオ信号が入力された時に制御部１０２−３でこれを自動的に感知し、新しい入力ビデオ信号のためのディスプレイオプションのＯＳＤメニューを自動的にディスプレイし、自動的にディスプレイされたＯＳＤメニューを介して新しい入力ビデオ信号に対して選択的なディスプレイオプションのうち１つのユーザ入力による新しいビデオ信号の入出力経路を変換する。新しい入力ビデオ信号のＯＳＤディスプレイオプションのうち１つはＯＳＤメニューで終了され、現在ディスプレイされたビデオ信号を続けてディスプレイする。本発明の自動入力ビデオ信号経路転換はあたかもパソコン（図示せず）が他の機器またはそれに準ずるカードと連結された時にＰｌｕｇ  ａｎｄ  Ｐｌａｙ機能を実施して該当プログラムを自動的に実行するのと同様である。
【００３０】
まず、図１及び図２Ａ乃至図２Ｄを参照してディスプレイ機器で多重ビデオ入力信号を処理する装置について説明する。
【００３１】
ビデオインタフェース１００は外部から入力される多種のビデオ信号を受信する。本発明で、ビデオインタフェース１００は３つの外部機器（例えば、パソコン、ゲーム機またはＤＶＤプレーヤのような異なるビデオ出力及びテレビ）から伝送されたビデオ信号を受信するが、外部機器は３つに制限されない。
【００３２】
例えば、ビデオインタフェース１００はパソコン（図示せず）からＤ−ＳＵＢ端子１００−１、ＤＶＩ端子１００−２を介して伝送されたビデオ信号を受信する。
【００３３】
ビデオインタフェース１００はゲーム機（図示せず）からＳ−ＶＩＤＥＯ端子１００−３を介して伝送されたビデオ信号を受信する。ここで、Ｓ−ＶＩＤＥＯ信号は輝度（Ｌｕｍｉｎａｎｃｅ、Ｙ）と色度（Ｃ、Ｃｈｒｏｍａ）２つの信号より構成されたビデオ伝送方式であり、色度信号はＣＯＭＰＯＳＩＴＥ信号の色差信号２つを位相変調という方式で作る。ＣＯＭＰＯＳＩＴＥ信号で、輝度と色度信号を分離したという意味で、「Ｓ−ＶＩＤＥＯ」の名称を得た。Ｓ−ＶＨＳなど高画質ビデオ装置が開発されつつ使われ始め、ＣＯＭＰＯＳＩＴＥ連結よりは高画質を簡単に作れる長所がある。
【００３４】
また、ビデオインタフェース１００はＴＶ（図示せず）からＴＶチューナ端子１００−４及びＣＯＭＰＯＳＩＴＥ端子１００−５を介して伝送されたビデオ信号を受信する。
【００３５】
ビデオインタフェース１００は制御部１０２−３の周期的な要請により現在いなかる外部機器によりビデオ信号が入力されているか、またはいかなる外部機器からビデオ信号が新しく入力されているかを示す状態信号を制御部１０２−３に出力する。状態信号生成はビデオ信号ディバイス及びディスプレイ部間のＰｌｕｇ  ａｎｄ  Ｐｌａｙビデオ信号インタフェースを提供することによっていかなるＰｌｕｇ  ａｎｄ  Ｐｌａｙインタフェースの種類を指定するかにより具現されうる。
【００３６】
ビデオインタフェース１００に入力されるビデオ信号のうち、パソコンからＤ−ＳＵＢ端子１００−１、ＤＶＩ端子１００−２を介して伝送されたビデオ信号は第１信号処理手段１０１を経ずに直ちに第２信号処理手段１０２に出力される。
【００３７】
しかし、ビデオインタフェース１００に入力されるビデオ信号のうち、ゲーム機からＳ−ＶＩＤＥＯ端子１００−３を介して伝送されたビデオ信号及びビデオインタフェース１００に入力される信号のうちＴＶからＴＶチューナ端子１００−４及びＣＯＭＰＯＳＩＴＥ端子１００−５を介して伝送されたビデオ信号は第１信号処理手段１０１に出力される。
【００３８】
第１信号処理手段１０１はビデオインタフェース１００から出力される多重ビデオ信号のうちいずれか１つのビデオ信号を選択して第２信号処理手段１０２に出力するか、選択されたビデオ信号をデコーディングして第２信号処理手段１０２に出力する。第１信号処理手段１０１は選択部１０１−１及びビデオデコーダ１０１−２より構成される。
【００３９】
選択部１０１−１はビデオインタフェース１００のＳ−ＶＩＤＥＯ端子１００−３、ＴＶチューナ端子１００−４及びＣＯＭＰＯＳＩＴＥ端子１００−５から出力されるビデオ信号のうちいずれか１つの信号を選択してビデオデコーダ１０１−２に出力するか、第２信号処理手段１０２に出力する。さらに、第２信号処理手段１０２の制御部１０２−３はビデオインタフェース１００から第１信号処理手段１０１に出力されるビデオ信号のうち１つを選択するか、または選択していない第１信号処理手段１０１の選択部１０１−１に選択制御信号を出力する。従って、第２信号処理手段１０２の制御部１０２−３は第１信号処理手段１０１を介してビデオインタフェース１００からディスプレイ部１０４に出力されるビデオ信号の入出力経路を制御し、第２信号処理手段１０２から直接出力されるビデオ信号の入出力経路を制御する。特に、第２信号処理手段１０２の制御部１０２−３はビデオインタフェース１００から出力されるあるビデオインタフェースを選択するユーザ信号入力手段１０３を介してユーザ入力により制御されうる。例えば、第１信号処理手段１００の選択部１０１−１がビデオインタフェース１００のＳ−ＶＩＤＥＯ端子１００−３を選択するならば、選択されたビデオ信号は第２信号処理手段１０２に出力される。しかし、例えば第１信号処理手段１００の選択部１０１−１がビデオインタフェース１００のＴＶチューナ端子１００−４またはＣＯＭＰＯＳＩＴＥ端子１００−５を選択するならば、選択されたビデオ信号はビデオデコーダ１０１−２に出力される。
【００４０】
ビデオデコーダ１０１−２は選択部１０１−１により選択されたＳ−ＶＩＤＥＯ端子１００−３またはＴＶチューナ端子１００−４またはＣＯＭＰＯＳＩＴＥ端子１００−５から出力されるビデオ信号をデコーディングして第２信号処理手段１０２に出力する。
【００４１】
第２信号処理手段１０２は多重ビデオ入力信号を処理してディスプレイ手段１０４に出力する。第２信号処理手段１０２のスケーラ１０２−１は入力されるビデオ信号をディスプレイ手段１０４の仕様に適した解像度に変換し、解像度以外の多くの映像決定要素の微細な調整機能を調整してディスプレイ手段１０４に出力する。
【００４２】
第２信号処理手段１０２のデインタレーサ１０２−２は第１信号処理手段１０１で選択デコーディングされて出力されるビデオ信号をデインタレーシングしてスケーラ１０２−１に出力する。
【００４３】
第２信号処理手段１０２の制御部１０２−３はビデオインタフェース１００から現在いかなる外部機器によりビデオ信号が入力されているか、またはいかなる外部機器からビデオ信号が新しく入力されているかを示す状態信号を周期的に受信する。ここで、ある外部機器により現在入力されるビデオ信号を第１ビデオ信号といい、ある外部機器により新しく入力されるビデオ信号を第２ビデオ信号という。
【００４４】
第１ビデオ信号がビデオインタフェース１００のＤ−ＳＵＢ端子１００−１またはＤＶＩ端子１００−２から出力されるいずれか１つのビデオ信号である場合、第２ビデオ信号はビデオインタフェース１００のＳ−ＶＩＤＥＯ端子１００−３、ＴＶチューナ端子１００−４またはＣＯＭＰＯＳＩＴＥ端子１００−５から出力されるいずれか１つのビデオ信号である。この時、第１ビデオ信号はスケーラ１０２−１に直ちに入力され、第２ビデオ信号は第１信号処理手段１０１及びデインタレーサ１０２−２を経てスケーラ１０２−１に入力される。
【００４５】
また、第１ビデオ信号がビデオインタフェース１００のＳ−ＶＩＤＥＯ端子１００−３、ＴＶチューナ端子１００−４またはＣＯＭＰＯＳＩＴＥ端子１００−５から出力されるいずれか１つのビデオ信号である場合、第２ビデオ信号はビデオインタフェース１００のＤ−ＳＵＢ端子１００−１またはＤＶＩ端子１００−２から出力されるいずれか１つのビデオ信号である。この時、第１ビデオ信号は第１信号処理手段１０１及びデインタレーサ１０２−２を経てスケーラ１０２−１に入力されて第２ビデオ信号はスケーラ１０２−１に入力される。
【００４６】
このように、制御部１０２−３はビデオインタフェース１００から入力される状態信号の応答で第１ビデオ信号ディスプレイ中に第２ビデオ信号の入力を感知する。ビデオインタフェース１００から第２ビデオ信号の入力を知らせる状態信号が受信されれば、制御部１０２−３は新しいビデオ信号入力メッセージを含んで新しい入力ビデオ信号に対してオプションをディスプレイするＯＳＤメニューをディスプレイ手段１０４に出力する。
【００４７】
図２Ａは第１ビデオ信号ディスプレイ中に第２ビデオ信号が入力される場合にディスプレイされるＯＳＤメニューを示す。例えば、図２ＡでＯＳＤメニューは新しいビデオ信号入力メッセージ（ＮＥＷ  ＶＩＤＥＯ  ＩＮＰＵＴまたは新しい映像機器）を含んでユーザが選択できるＦＵＬＬ  ＳＣＲＥＥＮ、ＰＩＰ、ＢＡＣＫメニューより構成される。
【００４８】
制御部１０２−３はユーザ信号入力手段１０３により入力されたＯＳＤメニュー選択信号を受信する。ユーザ信号入力手段１０３によりＦＵＬＬ
ＳＣＲＥＥＮが選択され、制御部１０２−３がこれを受信すれば、第１ビデオ信号のディスプレイは中断され、第２ビデオ信号がディスプレイ手段１０４全体にディスプレイされる。すなわち、ビデオ信号の入出力経路が第１ビデオ信号入出力経路から第２ビデオ信号入出力経路に転換される。
【００４９】
図２ＢはＯＳＤメニューのうちＦＵＬＬ ＳＣＲＥＥＮメニューを選択した時に現在のビデオ信号が新しいビデオ信号に転換される画面を示す図である。図２Ｂでは第１ビデオ信号がＴＶ信号であり、第２ビデオ信号がパソコン信号である。
【００５０】
ユーザ信号入力手段１０３によりＰＩＰが選択され、制御部１０２−３がこれを受信すれば、第１及び第２ビデオ信号がディスプレイ手段１０４に同時にディスプレイされる。この時、第１ビデオ信号はメイン画面として、第２ビデオ信号はサブ画面として、または第１ビデオ信号をサブ画面として、第２ビデオ信号はメイン画面としてディスプレイ手段１０４にディスプレイされる。すなわち、ビデオ信号の入出力経路が第１ビデオ信号入出力経路で第１ビデオ信号入出力経路及び第２ビデオ信号入出力経路に転換される。
【００５１】
図２ＣはＯＳＤメニューのうちＰＩＰメニューを選択した時に第１ビデオ信号がメイン画面として、第２ビデオ信号がサブ画面としてディスプレイされる画面を示す図である。図２Ｃでは、第１ビデオ信号がＴＶ信号であり、第２ビデオ信号がパソコン信号である。
【００５２】
ユーザ信号入力手段１０３によりＢＡＣＫが選択され、制御部１０２−３がこれを受信すれば、第１ビデオ信号が続けてディスプレイ手段１０４にディスプレイされる。すなわち、ビデオ信号の入出力経路が転換されずに、第１ビデオ信号入出力経路を保持する。この時にＯＳＤメニューは終了される。
【００５３】
図２ＤはＯＳＤメニューのうち、ＢＡＣＫメニューを選択した時に第１ビデオ信号が続けてディスプレイされる画面を示す図である。
【００５４】
次に、図２Ａ乃至図２Ｄ及び図３を参照してディスプレイ機器で多重ビデオ入力信号を処理する方法について説明する。
【００５５】
制御部１０２−３はビデオインタフェース１００を周期的にチェックする（３００段階）。
【００５６】
ビデオインタフェース１００は外部から入力される多種のビデオ信号を受信する。ビデオインタフェース１００はパソコン（図示せず）からＤ−ＳＵＢ端子１００−１、ＤＶＩ端子１００−２を介して伝送されたビデオ信号を受信する。ビデオインタフェース１００はゲーム機（図示せず）からＳ−ＶＩＤＥＯ端子１００−３を介して伝送されたビデオ信号を受信する。また、ビデオインタフェース１００はＴＶ（図示せず）からＴＶチューナ端子１００−４及びＣＯＭＰＯＳＩＴＥ端子１００−５を介して伝送されたビデオ信号を受信する。
【００５７】
制御部１０２−３はビデオインタフェース１００をチェックして現在ディスプレイ中のビデオ信号以外にビデオインタフェース１００を介して新しいビデオ信号が入力されたか否か判断する（３０１段階）。
【００５８】
現在のビデオ信号がビデオインタフェース１００のＤ−ＳＵＢ端子１００−１またはＤＶＩ端子１００−２から出力されるいずれか１つのビデオ信号である場合、新しいビデオ信号はビデオインタフェース１００のＳ−ＶＩＤＥＯ端子１００−３、ＴＶチューナ端子１００−４またはＣＯＭＰＯＳＩＴＥ端子１００−５から出力されるいずれか１つのビデオ信号である。この時、現在のビデオ信号はスケーラ１０２−１に直ちに入力され、新しいビデオ信号は第１信号処理手段１０１及びデインタレーサ１０２−２を経てスケーラ１０２−１に入力される。
【００５９】
また、現在のビデオ信号がビデオインタフェース１００のＳ−ＶＩＤＥＯ端子１００−３、ＴＶチューナ端子１００−４またはＣＯＭＰＯＳＩＴＥ端子１００−５から出力されるいずれか１つのビデオ信号である場合、新しいビデオ信号はビデオインタフェース１００のＤ−ＳＵＢ端子１００−１またはＤＶＩ端子１００−２から出力されるいずれか１つのビデオ信号である。この時、現在のビデオ信号は第１信号処理手段１０１及びデインタレーサ１０２−２を経てスケーラ１０２−１に入力されて新しいビデオ信号はスケーラ１０２−１に入力される。
【００６０】
制御部１０２−３のビデオインタフェース１００をチェックした結果、現在ディスプレイ中のビデオ信号以外にビデオインタフェース１００を介して新しいビデオ信号が入力された場合、ビデオインタフェース１００を介して新しいビデオ信号が入力されるというメッセージを含むＯＳＤメニューをディスプレイする（３０２段階）。
【００６１】
図２Ａは現在のビデオ信号ディスプレイ中に新しいビデオ信号が入力される場合にディスプレイされるＯＳＤメニューを示す。図２Ａで、ＯＳＤメニューは新しいビデオ信号入力メッセージ（ＮＥＷ  ＶＩＤＥＯ  ＩＮＰＵＴまたは新しい映像機器）を含んでユーザが選択できるＦＵＬＬ  ＳＣＲＥＥＮ、ＰＩＰ、ＢＡＣＫメニューより構成される。
【００６２】
制御部１０２−３はユーザ信号入力手段１０３を介してＯＳＤメニューのうち「ＦＵＬＬ  ＳＣＲＥＥＮ」メニューを選択したか否かを判断する（３０３段階）。
【００６３】
ＯＳＤメニューのうち「ＦＵＬＬ  ＳＣＲＥＥＮ」メニューが選択された場合、制御部１０２−３はビデオインタフェース１００を介して入力される新しいビデオ信号をディスプレイ手段１０４全体にディスプレイする（３０４段階）。
【００６４】
制御部１０２−３はユーザ信号入力手段１０３により入力されたＯＳＤメニュー選択信号を受信する。ユーザ信号入力手段１０３によりＦＵＬＬ  ＳＣＲＥＥＮが選択され、制御部１０２−３がこれを受信すれば、現在のビデオ信号のディスプレイは中断され、新しいビデオ信号がディスプレイ手段１０４全体にディスプレイされる。すなわち、ビデオ信号の入出力経路が現在のビデオ信号入出力経路から新しいビデオ信号入出力経路に転換される。図２ＢはＯＳＤメニューのうちＦＵＬＬ  ＳＣＲＥＥＮメニューを選択した時に現在のビデオ信号が新しいビデオ信号に転換される画面を示す図である。図２Ｂでは現在のビデオ信号がＴＶ信号であり、新しいビデオ信号がパソコン信号である。
【００６５】
制御部１０２−３はユーザ信号入力手段１０３を介してＯＳＤメニューのうち「ＰＩＰ」メニューを選択したか否かを判断する（３０５段階）。
【００６６】
ＯＳＤメニューのうち「ＰＩＰ」メニューが選択された場合、制御部１０２−３はビデオインタフェース１００を介して入力される新しいビデオ信号を同時画面のサブ画面にディスプレイする（３０６段階）。
【００６７】
ユーザ信号入力手段１０３によりＰＩＰが選択され、制御部１０２−３がこれを受信すれば、現在のビデオ信号と新しいビデオ信号がディスプレイ手段１０４に同時にディスプレイされる。この時、現在のビデオ信号はメイン画面として、新しいビデオ信号はサブ画面として、または現在のビデオ信号はサブ画面として、新しいビデオ信号はメイン画面としてディスプレイ手段１０４にディスプレイされる。すなわち、ビデオ信号の入出力経路が現在のビデオ信号入出力経路で現在のビデオ信号入出力経路及び新しいビデオ信号入出力経路に転換される。図２ＣはＯＳＤメニューのうちＰＩＰメニューを選択した時に現在のビデオ信号がメイン画面として、新しいビデオ信号がサブ画面としてディスプレイされる画面を示す図である。図２Ｃでは現在のビデオ信号がＴＶ信号であり、新しいビデオ信号がパソコン信号である。
【００６８】
制御部１０２−３はユーザ信号入力手段１０３を介してＯＳＤメニューのうち「ＢＡＣＫ」メニューを選択したか否かを判断する（３０７段階）。
【００６９】
ＯＳＤメニューのうち「ＢＡＣＫ」メニューが選択された場合、制御部１０２−３はＯＳＤメニューを終了して現在のビデオ信号のディスプレイを保持する（３０８段階）。
【００７０】
ユーザ信号入力手段１０３によりＢＡＣＫが選択され、制御部１０２−３がこれを受信すれば、現在のビデオ信号が続けてディスプレイ手段１０４にディスプレイされる。すなわち、ビデオ信号の入出力経路が転換されずに、現在のビデオ信号入出力経路を保持する。この時、ＯＳＤメニューは終了される。図２ＤはＯＳＤメニューのうちＢＡＣＫメニューを選択した時に現在のビデオ信号が続けてディスプレイされる画面を示す図である。
【００７１】
これまで本発明についてその望ましい実施例を中心に述べた。本発明が属する技術分野で当業者ならば本発明が本発明の本質的な特性から外れない範囲で変形された形で具現されうることが理解できるであろう。従って、開示された実施例は限定的な観点ではなくして説明的な観点で考慮されねばならない。本発明の範囲は前述の説明でなく、特許請求の範囲に示されており、それと同等な範囲内にある全ての差異点は本発明に含まれたものと解釈されねばならない。
【産業上の利用可能性】
【００７２】
本発明のディスプレイ機器で多重ビデオ入力信号を処理する装置及び方法は、ビデオディスプレイを介して新しいビデオ信号が入力される場合にこれを感知してビデオ信号の入出力を自動的に変換し、ユーザが手動で転換せねばならない不便であるという問題点を解決し、例えば特に移動性の求められる小型ディスプレイ機器に効果的に適用可能である。
【図面の簡単な説明】
【００７３】
【図１】本発明によるディスプレイ機器で多重ビデオ入力信号を処理する装置の構成を示すブロック図である。
【図２Ａ】ディスプレイ機器で多重ビデオ入力信号を処理する画面例示図である。
【図２Ｂ】ディスプレイ機器で多重ビデオ入力信号を処理する画面例示図である。
【図２Ｃ】ディスプレイ機器で多重ビデオ入力信号を処理する画面例示図である。
【図２Ｄ】ディスプレイ機器で多重ビデオ入力信号を処理する画面例示図である。
【図３】本発明によるディスプレイ機器で多重ビデオ入力信号を処理する方法の動作を示すフローチャートである。
【符号の説明】
【００７４】
１００      ビデオインタフェース
１００−１  Ｄ−ＳＵＢ端子
１００−２  ＤＶＩ端子
１００−３  Ｓ−ＶＥＤＩＯ端子
１００−４  ＴＶチューナ端子
１００−５  ＣＯＭＰＯＳＩＴＥ端子
１０１      第１信号処理手段
１０１−１  選択部
１０１−２  ビデオレコーダ
１０２      第２信号処理手段
１０２−１  スケーラ
１０２−２  デインタレーサ
１０２−３  制御部
１０３      ユーザ信号入力手段
１０４      ディスプレイ手段
【図１】
2005049837.tif 000003
【図２Ａ】
2005049837.tif 000004
【図２Ｂ】
2005049837.tif 000005
【図２Ｃ】
2005049837.tif 000006
【図２Ｄ】
2005049837.tif 000007
【図３】
2005049837.tif 000008